(57)【要約】【課題】  本発明は、スピーカーボックスの移動および向き調整が自在に行えると共に、床面からのハウリングを最小限としたキャスター付きリスニング用スピーカースタンドを提供することを目的とするものである。【解決手段】  本発明は、スピーカーボックス（図示せず。）底面の外形寸法に応じて木製の角材から形成される一対のスピーカーボックス支持部２と、この一対のスピーカーボックス支持部２とを一定間隔を設けて連結する丸棒材より形成される一対の連結棒部３と、スピーカーボックス支持部２下部にそれぞれ２個ずつ装着されるキャスター４と、これらのキャスター４の車軸芯とずらした状態となるスピーカーボックス支持部２の上面に設けられる支持駒５とから構成されるものである。【選択図】          図３
2005184292.tif 000002
【特許請求の範囲】
【請求項１】
下部にキャスターが設けられた２本のスピーカーボックス支持部と、
前記スピーカーボックス支持部を連結組み合わせる連結棒部と、
前記スピーカーボックス支持部上面に前記キャスター軸芯とずらした位置にスピーカーボックスを点支持する支持駒を備える
ことを特徴とするキャスター付きリスニング用スピーカースタンド。
【請求項２】
前記キャスター接地面から支持駒までの高さを１５ｃｍ以上とする
ことを特徴とする請求項１記載のキャスター付きリスニング用スピーカースタンド。
【請求項３】
前記スピーカーボックス支持部を角材および前記連結棒部を丸棒材より形成する
ことを特徴とする請求項１または２記載のキャスター付きリスニング用スピーカースタンド。
【請求項４】
前記キャスターの車輪がゴムより形成される
ことを特徴とする請求項１、２または３記載のキャスター付きリスニング用スピーカースタンド。
【請求項５】
前記支持駒がスピーカーボックス支持部を角材および連結棒部上面に対して自在に配置できる構成とされる
ことを特徴とする請求項１、２、３または４記載のキャスター付きリスニング用スピーカースタンド。
【発明の詳細な説明】
【技術分野】
【０００１】
本発明はキャスター付きリスニング用スピーカースタンドに関する。詳しくは大型スピーカーの再生能力を容易に引き出すと共に、移動や位置調整、向き調整が一人で簡単に行うことができるキャスター付きリスニング用スピーカースタンドに係るものである。
【背景技術】
【０００２】
従来のスピーカースタンドは小型スピーカー用が主であり、音源位置を聴取者の耳の高さに合わせることを目的として作成されている。
【０００３】
いっぽう、大型スピーカーは音源位置が元々聴取者の耳の高さの位置にあるので、フロア型スピーカーと呼ばれ、床面に直接置いて使用するように設計されている。この大型スピーカーの設置方法として、建設用ブロックやレンガ、木製ブロック等をスピーカーの底面に２方向、もしくは四隅又は三点に敷き、その間に硬貨等を挟みこみ四点支持、三点支持の方法で設置されることが一般に知られている。
【０００４】
また、この種のスピーカースタンドとして図１９に示すように、スピーカーシステムの底面の四隅を支持する４本の支柱１０１が連結棒１０２により四角柱状に結合され、これらの支柱１０１の上面に突出部１０３が形成された構成とし、この突出部１０３によりスピーカーシステムの板振動が最も少ないキャビネットの四隅近傍を支持することで、キャビネット板振動が床板への伝達量は少なく、これによるハウリングや床板の振動による再生音質劣化を防ぐ構成とする（例えば、特許文献１参照。）。
【０００５】
【特許文献１】実開昭６２−８５０８１号（実施例、第１図）
【発明の開示】
【発明が解決しようとする課題】
【０００６】
本来オーディオは一人で行う趣味で音質の調整はスピーカーの位置調整と密接に関わっている。例えば大型スピーカーともなれば１本５０ｋｇ以上となり、前述した建設用ブロックやレンガ、木製ブロック等を大型スピーカーの底面に設置する場合やスピーカースタンドを設置する場合には数名で持ち抱えるか、あるいは移動させる場合には台車を使用しているのが現状である。
【０００７】
また、前述したスピーカースタンドの場合では、支柱１０１が低く構成されているときには、スピーカーシステムの底面の四隅を支持する４本の支柱１０１と突出部１０３が同軸上に形成されているためにキャビネット板振動が突出部１０３から支柱１０１および床面へと伝播されて床面が振動することによるハウリング現象が起こる問題がある。
【０００８】
また、大型であるが故に再生帯域が広く、床面や壁面との干渉も発生しやすく、ベストな音場間を得るには、スピーカーの向き、スピーカー間の位置合わせなどの位置調整が不可欠であるが、前述した建設用ブロックやレンガ、木製ブロック等やスピーカースタンドの場合では非常に手間がかかる問題がある。
【０００９】
本発明は、以上の点に鑑みて創案されたものであって、スピーカーボックスの移動および向き調整が自在に行えると共に、床面からのハウリングを最小限としたキャスター付きリスニング用スピーカースタンドを提供することを目的とするものである。
【課題を解決するための手段】
【００１０】
上記の目的を達成するために、本発明に係るキャスター付きリスニング用スピーカースタンドは、下部にキャスターが設けられた２本のスピーカーボックス支持部と、前記スピーカーボックス支持部を連結組み合わせる連結棒部と、前記スピーカーボックス支持部上面に前記キャスター軸芯とずらした位置にスピーカーボックスを点支持する支持駒を備える。
【００１１】
ここで、スピーカーボックスと支持駒、キャスターの車輪と床面との接触を極小化させ、支持駒とキャスターの車軸位置をずらして、スピーカーボックス支持部で振動を吸収させる。
【００１２】
また、複数個の支持駒をスピーカーボックス支持部および連結棒部の上面に対して自在に配置することができる構成とすることにより、スピーカーボックスの設置状況に応じての振動の微調整が可能となる。
【００１３】
また、スピーカーボックス支持部を角材および連結棒部を丸棒材により形成し、スピーカーボックス底面の真下を大きな中空空間となるようにスピーカースタンドを組み立て、かつキャスター接地面から支持駒までの高さを１５ｃｍ以上とすることで床面からの反射音がスピーカーボックス底面に跳ね返らず、ハウリングを極小化させ、角材部分で振動を吸収させると共に、角材部分とキャスターとのクッション構造およびゴム車輪の弾力性を利用して振動の床面への伝播を制振および振動の吸収をすることにより、ハウリングマージンを激減させる。
【発明の効果】
【００１４】
以上述べて来た如く本発明によれば、キャスターを設けることにより大型スピーカーの移動および向き調整が容易に行えることが可能となる。更にキャスターの軸心と支持駒位置をずらすことによってキャスターを通しての床面への振動の伝播を最小限に抑えることが可能となる。
【００１５】
また、スピーカーボックス底面と床面との間に高さ１５ｃｍ以上の距離を設けた空間部を形成することによりスピーカーボックス下に音がこもることがなく、音を拡散させることが可能なる。
【００１６】
また、支持駒の位置を自在に調整することによりスピーカーボックスの響きを変化させることができ、ユーザーの好みに合わせることが可能となる。
【発明を実施するための最良の形態】
【００１７】
以下、本発明の実施の形態を図面を参酌しながら説明し、本発明の理解に供する。
実施例１
図１は、本発明を適用したキャスター付きリスニング用スピーカースタンドの一例を示す正面図、図２は、図１における側面図、図３は、図１における平面図を示す。
【００１８】
ここで示すスピーカースタンド１は、スピーカーボックス（図示せず。）底面の外形寸法に応じて木製の角材から形成される一対のスピーカーボックス支持部２と、この一対のスピーカーボックス支持部２とを一定間隔を設けて連結する丸棒材より形成される一対の連結棒部３と、スピーカーボックス支持部２下部にそれぞれ２個ずつ装着されるキャスター４と、これらのキャスター４の車軸芯とずらした状態となるスピーカーボックス支持部２の上面に設けられる支持駒５とから構成されるものである。
【００１９】
そこでスピーカーボックス支持部２と連結棒部３との組み立ては、角材から形成されるスピーカーボックス支持部２の側面に略連結棒部３と同径とした連結用穴６を設け、この連結用穴６に連結棒部３の両端を差し込んでスピーカーボックス底面の外形寸法に応じた四角形状のフレーム７を組み立てるものであり、このフレーム７の横幅はスピーカーボックスの幅寸と同等か、若干大きくしている。また、前後方向はスピーカーボックスのサイズより１ｃｍから１０ｃｍほどはみ出すように組み立てられている。
【００２０】
また、キャスター４はスピーカーボックス支持部２の下面に対して左右回転自在な状態で木ネジなどによって取り付けられ、車輪８はゴムなどの弾性体材質が用いられる。
【００２１】
また、支持駒５の直径はスピーカーボックスの大きさおよび重量に応じて１０ｍｍから５０ｍｍ、厚みは８ｍｍから２０ｍｍの範囲内とし、取り付け方法としては図４に示すようにスピーカーボックス支持部２上面に埋め込み、木工用接着剤にて接合させるものとする機構とする。
【００２２】
また、図５に示すように円柱形状とした支持駒５の上下面にセーム皮（鹿皮）１１を貼着した構成とし、スピーカーボックス支持部２と連結棒部３上面の任意の位置に配置できる機構とするものである。
ここで、セーム皮１１によりスピーカーボックスからの振動が吸収されると共に、支持駒５の配置を自在に調整することができるために、所有者の好みに応じた微妙な音の調整が可能となる。
【００２３】
そして支持駒５はスピーカーボックス底面の四隅部を支持する位置、即ち４個所に配置されると共に、キャスター４の車軸芯との位置とズレタ状態で配置され、更にキャスター４の接地面から支持駒５の先端高さを１５ｃｍから２５ｃｍの範囲内とする。
【００２４】
実施例２
次に図６は、突起部５が３個配置された本発明を適用したキャスター付きリスニング用スピーカースタンドの正面図、図７は、図６における側面説明図、図８は、図６における平面説明図である。
【００２５】
ここで示すスピーカースタンド１は実施例１で前述したように、スピーカーボックス支持部２と連結棒部３との組み立ては、角材から形成されるスピーカーボックス支持部２の側面に略連結棒部３と同径とした連結用穴６を設け、この連結用穴６に連結棒部３の両端を差し込んでスピーカーボックス底面の外形寸法に応じた四角形状のフレーム７を組み立てるものである。
【００２６】
そしてキャスター４はスピーカーボックス支持部２の下面に対して左右回転自在な状態で木ネジなどによって取り付けられ、車輪８はゴムなどの弾性体材質が用いられる。
【００２７】
そこで突起部５はスピーカーボックス底面の前側両隅部と後側中央を支持する位置、即ち前側スピーカーボックス支持部２の両側と後側スピーカーボックス支持部２の中央の合計３個所に配置されると共に、キャスター４の車軸芯との位置とズレタ状態で配置され、更にキャスター４の接地面から支持駒５の先端高さを１５ｃｍから２５ｃｍの範囲内とする。
【００２８】
実施例３
次に図９は、支持駒５が２個配置された本発明を適用したキャスター付きリスニング用スピーカースタンドの平面説明図である。
【００２９】
ここで示すスピーカースタンド１は実施例１で前述したように、スピーカーボックス支持部２と連結棒部３との組み立ては、角材から形成されるスピーカーボックス支持部２の側面に略連結棒部３と同径とした連結用穴６を設け、この連結用穴６に連結棒部３の両端を差し込んでスピーカーボックス底面の外形寸法に応じた四角形状のフレーム７を組み立てるものである。
【００３０】
そこで支持駒５は両側のスピーカーボックス支持部２の中央にそれぞれ配置された構成とするものである。
【００３１】
実施例４
図１０は、本発明を適用したキャスター付きリスニング用スピーカースタンドの他の例を示す正面図、図１１は、図１０における側面図、図１２は、図１０における平面図を示す。
【００３２】
ここで示すスピーカースタンド１は、スピーカーボックス支持部２と連結棒部３との組み立ては、角材から形成されるスピーカーボックス支持部２と台形状に形成されるスピーカーボックス支持部２ａの側面に略連結棒部３と同径とした連結用穴６を設け、この連結用穴６に２本の連結棒部３の両端を差し込んでスピーカーボックス底面を３点支持によるフレーム７を組み立てるものである。
【００３３】
そしてキャスター４はスピーカーボックス支持部２の下面の両側およびスピーカーボックス支持部２ａの下面に対して左右回転自在な状態で木ネジなどによって合計３個取り付けられ、車輪７はゴムなどの弾性体材質が用いられる。
【００３４】
そこで支持駒５はスピーカーボックス底面の前側両隅部と後側中央を支持する位置、即ち前側スピーカーボックス支持部２の両側と後側スピーカーボックス支持部２ａの合計３個所に配置されると共に、キャスター４の車軸芯との位置とズレタ状態で配置され、更にキャスター４の接地面から支持駒５の先端高さを１５ｃｍから２５ｃｍの範囲内とする。
【００３５】
図１３および図１４に示すように実施例１における本発明を適用したキャスター付きリスニング用スピーカースタンドは、スピーカーボックス支持部２上面に配置される４個の支持駒５によってスピーカーボックス９の底面の４隅部が支持されるものであり、キャスター４の接地面１０とスピーカーボックス９底面との距離が１５ｃｍから２５ｃｍ以内に設定される。従ってスピーカーボックス９底面と接地面１０との間に大きな中空空間が形成され、１５ｃｍ以上の距離をとることによって接地面１０からの反射音がスピーカーボックス９底面に強く跳ね返ることがなく、混濁共振を極小化させることが可能となる。
【００３６】
また、スピーカーボックス９と突起部５、キャスター４の車輪８と接地面１０との接触を極小化させ、かつ支持駒５とキャスター４の車軸芯位置をずらすことによって、スピーカーボックス支持部２で振動を吸収させ、更にゴム車輪８の弾力性を利用して振動の接地面１０への伝播を制振、振動の吸収を図ることでハウリングマージンを激減させることが可能となる。
【００３７】
次に図１５に示すように実施例２における本発明を適用したキャスター付きリスニング用スピーカースタンドは、スピーカーボックス支持部２上面に配置される３個の支持駒５によってスピーカーボックス９の底面の３点が支持されるものであり、キャスター４の接地面１０とスピーカーボックス９底面との距離が１５ｃｍから２５ｃｍ以内に設定される。
従ってスピーカーボックス９底面と接地面１０との間に大きな中空空間が形成され、１５ｃｍ以上の距離をとることによって接地面１０からの反射音がスピーカーボックス９底面に強く跳ね返ることがなく、混濁共振を極小化させることが可能となる。
【００３８】
また、図１６および図１７に示すように実施例３における本発明を適用したキャスター付きリスニング用スピーカースタンドは、スピーカーボックス９を横置として使用するものであり、２個のスピーカースタンド１をスピーカーボックス９の底面の両側に配置し、それぞれ２個の支持駒５によってスピーカーボックス９の底面の４点が支持されるものである。
【００３９】
また、図１８に示すように実施例４における本発明を適用したキャスター付きリスニング用スピーカースタンドは、底面が三角形状に形成されるスピーカーボックス９の底面の３隅部を、前側スピーカーボックス支持部２の両側と後側スピーカーボックス支持部２ａの合計３個所に配置される３個の支持駒５によって支持するものであり、かつキャスター４の車軸芯との位置とズレタ状態で配置され、更にキャスター４の接地面から支持駒５の先端高さを１５ｃｍから２５ｃｍの範囲内とする。
【００４０】
従ってスピーカーボックス９底面と接地面１０との間に大きな中空空間が形成され、１５ｃｍ以上の距離を取ることによって接地面１０からの反射音がスピーカーボックス９底面に強く跳ね返ることがなく、混濁共振を極小化させることが可能となる。
【図面の簡単な説明】
【００４１】
【図１】実施例１における本発明を適用したキャスター付きリスニング用スピーカースタンドの一例を示す正面説明図である。
【図２】図１における側面説明図である。
【図３】図１における平面説明図である。
【図４】本発明を適用したキャスター付きリスニング用スピーカースタンドの支持駒の取り付けの一例を示す説明図である。
【図５】本発明を適用したキャスター付きリスニング用スピーカースタンドの支持駒の他の例を示す説明図である。
【図６】実施例２における本発明を適用したキャスター付きリスニング用スピーカースタンドの一例を示す正面説明図である。
【図７】図５における側面説明図である。
【図８】図５における平面説明図である。
【図９】実施例３における本発明を適用したキャスター付きリスニング用スピーカースタンドの一例を示す平面説明図である。
【図１０】実施例４における本発明を適用したキャスター付きリスニング用スピーカースタンドの他の例を示す正面説明図である。
【図１１】図９における側面説明図である。
【図１２】図９における平面説明図である。
【図１３】実施例１における作用状態を示す正面説明図である。
【図１４】実施例１における作用状態を示す平面説明図である。
【図１５】実施例２における作用状態を示す平面説明図である。
【図１６】実施例３における作用状態を示す側面説明図である。
【図１７】実施例３における作用状態を示す平面説明図である。
【図１８】実施例４における作用状態を示す平面説明図である。
【図１９】従来のスピーカースタンドの一例を示す説明図である。
【符号の説明】
【００４２】
１      スピーカースタンド
２      スピーカーボックス支持部
３      連結棒部
４      キャスター
５      支持駒
６      連結用穴
７      フレーム
８      車輪
９      スピーカーボックス
１０    接地面
１１    セーム皮
【図１】
2005184292.tif 000003
【図２】
2005184292.tif 000004
【図３】
2005184292.tif 000005
【図４】
2005184292.tif 000006
【図５】
2005184292.tif 000007
【図６】
2005184292.tif 000008
【図７】
2005184292.tif 000009
【図８】
2005184292.tif 000010
【図９】
2005184292.tif 000011
【図１０】
2005184292.tif 000012
【図１１】
2005184292.tif 000013
【図１２】
2005184292.tif 000014
【図１３】
2005184292.tif 000015
【図１４】
2005184292.tif 000016
【図１５】
2005184292.tif 000017
【図１６】
2005184292.tif 000018
【図１７】
2005184292.tif 000019
【図１８】
2005184292.tif 000020
【図１９】
2005184292.tif 000021